(57)【特許請求の範囲】
【請求項１】
主電源と、
前記主電源により駆動される複数の電源部であって、各電源部が個別のデバイスに適した電力を供給可能に構成された複数の電源部と、
前記複数の電源部のオンオフ制御を行う電源制御部と、
前記電源制御部に電力を供給可能に構成されたバッテリー部と、
前記電源制御部に対する電力供給元を切り替える切替部と、を備え、
前記複数の電源部は、前記電源制御部に電力を供給可能に構成された通常用電源部およびバックアップ用電源部を含み、
前記バッテリー部は、前記主電源がオンされた場合に、前記電源制御部に電力を供給して前記電源制御部を起動させ、
前記電源制御部は、起動時に前記通常用電源部をオンさせて、前記通常用電源部が正常に動作した場合に、前記切替部に前記電源制御部に対する電力供給元を前記バッテリー部から前記通常用電源部に切り替えさせ、前記通常用電源部が正常に動作しない場合に、前記切替部に前記電源制御部に対する電力供給元を前記バッテリー部から前記バックアップ用電源部に切り替えさせる、電源装置。
【請求項２】
報知部および当該報知部による報知動作を制御する報知電源制御部を更に備え、
前記報知電源制御部は、前記通常用電源部が正常に動作しない場合に、予め定められた警告報知を前記報知部に行わせる、請求項１に記載の電源装置。
【請求項３】
前記報知電源制御部は、前記切替部が前記電源制御部に対する電力供給元を前記バッテリー部から前記バックアップ用電源部に切り替えた後に、前記警告報知を前記報知部に行わせる、請求項２に記載の電源装置。
【請求項４】
記憶部を更に備え、
前記電源制御部は、前記通常用電源部が正常に動作しない場合に、前記記憶部に前記通常用電源部が正常に動作しないことを示す電源異常フラグを記憶させ、前記起動時に前記通常用電源部をオンさせた後に、前記記憶部に前記電源異常フラグが記憶されているか否かを判定し、前記記憶部に前記電源異常フラグが記憶されている場合に、前記通常用電源部が正常に動作するか否かを判定せずに、前記切替部に前記電源制御部に対する電力供給元を前記バッテリー部から前記バックアップ用電源部に切り替えさせる、請求項１乃至請求項３の何れか１項に記載の電源装置。
【請求項５】
前記電源制御部は、前記通常用電源部から出力される出力電圧が予め定められた期間内に予め定められた電圧値まで立ち上がる場合に、前記通常用電源部が正常に動作したものと判定し、前記出力電圧が前記期間内に前記電圧値まで立ち上がらない場合に、前記通常用電源部が正常に動作しないものと判定する、請求項１乃至請求項４の何れか１項に記載の電源装置。
【請求項６】
請求項１乃至請求項５の何れか１項に記載の電源装置と、
前記電源装置からの電力供給により動作する複数のデバイスと、を備える画像形成装置。
【発明の詳細な説明】
【技術分野】
【０００１】
本発明は、電源装置およびこれを備える画像形成装置に関し、特に、複数の電源部のオンオフ制御を専用のＣＰＵ（Central Processing Unit）で行う電源装置において、当該ＣＰＵに電力を供給する電源部の異常を検知する技術に関する。
【背景技術】
【０００２】
電子写真方式を利用した画像形成装置では、帯電部、現像部、および定着部等の多数のデバイスに電力を供給する必要がある。このため電源装置は、複数の電源部を備え、各電源部が個別のデバイスに適した電力を供給可能に構成されている。また、電源装置は、複数の電源部のオンオフ制御を行う専用のＣＰＵ（電源制御部）を備えている。電源部のオンオフ制御を行う専用のＣＰＵを設けることで、電力の供給が必要なデバイスのみに電力を供給することができ、画像形成装置の消費電力を抑えることができる。
【０００３】
しかしながら、上記のＣＰＵに電力を供給する電源部に異常が発生した場合、ＣＰＵが起動せず、各デバイスに電力を供給することができない。これに対して、特許文献１には、ＣＰＵに電力を供給する電源部を監視する電源監視手段を設け、電源監視手段が電源部の異常を検出した場合に、ＣＰＵに対する電力供給元を電源部からバッテリー部に切り替える技術が開示されている。
【先行技術文献】
【特許文献】
【０００４】
【特許文献１】特開２００２−７３１０４号公報
【発明の概要】
【発明が解決しようとする課題】
【０００５】
しかしながら、上記の技術では、電源監視手段に電力を供給する専用の電源部が新たに必要となり、電源装置の構成が複雑となる。また、バッテリー部からの電力供給でＣＰＵを駆動し続けるためには、容量の大きなバッテリー部が必要となる。更には、電源監視手段に電力を供給する電源部に異常が発生した場合には、ＣＰＵに電力を供給する電源部の異常を検出することができず、ＣＰＵに対する電力供給元を電源部からバッテリー部に切り替えることができない。
【０００６】
本発明は、上記の事情に鑑みなされたものであり、複数の電源部のオンオフ制御を行う専用のＣＰＵに電力を供給する電源部に異常が発生した場合であっても、その電源部の異常を検知することを可能とし、かつ、ＣＰＵを起動して、各デバイスに電力を供給することを可能とすることを目的とする。
【課題を解決するための手段】
【０００７】
本発明の一局面にかかる電源装置は、主電源と、前記主電源により駆動される複数の電源部であって、各電源部が個別のデバイスに適した電力を供給可能に構成された複数の電源部と、前記複数の電源部のオンオフ制御を行う電源制御部と、前記電源制御部に電力を供給可能に構成されたバッテリー部と、前記電源制御部に対する電力供給元を切り替える切替部と、を備え、前記複数の電源部は、前記電源制御部に電力を供給可能に構成された通常用電源部およびバックアップ用電源部を含み、前記バッテリー部は、前記主電源がオンされた場合に、前記電源制御部に電力を供給して前記電源制御部を起動させ、前記電源制御部は、起動時に前記通常用電源部をオンさせて、前記通常用電源部が正常に動作した場合に、前記切替部に前記電源制御部に対する電力供給元を前記バッテリー部から前記通常用電源部に切り替えさせ、前記通常用電源部が正常に動作しない場合に、前記切替部に前記電源制御部に対する電力供給元を前記バッテリー部から前記バックアップ用電源部に切り替えさせる、電源装置である。
【０００８】
また、本発明の別の一局面にかかる画像形成装置は、上記の電源装置と、電源装置からの電力供給により動作する複数のデバイスと、を備える画像形成装置である。
【発明の効果】
【０００９】
本発明によれば、複数の電源部のオンオフ制御を行う専用のＣＰＵに電力を供給する電源部に異常が発生した場合であっても、その電源部の異常を検知することが可能となり、かつ、ＣＰＵを起動して、各デバイスに電力を供給することが可能となる。
【図面の簡単な説明】
【００１０】
【図１】本発明の一実施形態にかかる画像形成装置の構造を示す断面図である。
【図２】本発明の一実施形態にかかる電源装置の内部構成を示すブロック図である。
【図３】本発明の一実施形態にかかる電源装置の動作の流れを示すフローチャートである。
【図４】本発明の一実施形態にかかる画像形成装置の表示部に表示される警告画面の一例を示す図である。
【図５】本発明の変形例にかかる電源装置の動作の流れを示すフローチャートである。
【発明を実施するための形態】
【００１１】
以下、本発明の一実施形態にかかる電源装置およびこれを備える画像形成装置について図面を参照して説明する。
【００１２】
図１は、本発明の一実施形態にかかる画像形成装置１の構造を示す断面図である。本発明の一実施形態にかかる画像形成装置１は、例えば、コピー機能、プリンター機能、スキャナー機能、及びファクシミリ機能のような複数の機能を兼ね備えた複合機である。画像形成装置１は、装置本体１１に、画像形成部１２、定着部１３、給紙部１４、原稿給送部６、および原稿読取部５等を備えて構成されている。
【００１３】
画像形成装置１が原稿読取動作を行う場合、原稿給送部６により給送されてくる原稿、又は原稿載置ガラス１６１に載置された原稿の画像を原稿読取部５が光学的に読み取り、画像データを生成する。原稿読取部５により生成された画像データは、ＨＤＤ（Hard Disk Drive）等の大容量の記憶装置からなる記憶部１５またはネットワーク接続されたコンピューター等に保存される。
【００１４】
画像形成装置１が画像形成動作を行う場合、原稿読取動作により生成された画像データ、ネットワーク接続されたコンピューターから受信した画像データ、または記憶部１５に記憶されている画像データ等に基づいて、画像形成部１２が、給紙部１４から給紙される記録媒体としての記録紙Ｐにトナー画像を形成する。
【００１５】
画像形成部１２のマゼンタ用の画像形成ユニット１２Ｍ、シアン用の画像形成ユニット１２Ｃ、イエロー用の画像形成ユニット１２Ｙ、及びブラック用の画像形成ユニット１２Ｂｋは、それぞれ、感光体ドラム１２１、現像装置１２２、帯電装置１２３、露光装置１２４、及び１次転写ローラー１２６等を備えている。現像装置１２２、帯電装置１２３、および露光装置１２４等は、後述する電源装置１０（図２参照）と接続されており、当該電源装置１０から電力が供給される。画像形成ユニット１２Ｍ、１２Ｃ、１２Ｙ、及び１２Ｂｋは、それぞれに、画像データを構成するそれぞれの色成分からなる画像に基づいて、帯電、露光及び現像の工程により感光体ドラム１２１上にトナー画像を形成し、トナー画像を１次転写ローラー１２６により、駆動ローラー１２５Ａ及び従動ローラー１２５Ｂに張架されている中間転写ベルト１２５上に転写させる。
【００１６】
中間転写ベルト１２５上に転写される各色のトナー画像は、転写タイミングを調整して中間転写ベルト１２５上で重ね合わされ、カラーのトナー画像となる。２次転写ローラー２１０は、中間転写ベルト１２５の表面に形成されたカラーのトナー画像を、中間転写ベルト１２５を挟んで駆動ローラー１２５Ａとのニップ部Ｎにおいて、給紙部１４から搬送路１９０を搬送されてきた記録紙Ｐに転写させる。この後、定着部１３が、記録紙Ｐ上のトナー画像を熱圧着により記録紙Ｐに定着させる。定着処理の完了したカラー画像形成済みの記録紙Ｐは、排出トレイ１５１に排出される。
【００１７】
また、画像形成装置１は、中間転写ベルト１２５の外周面に対向する位置に設けられたクリーニング部７０を備えている。クリーニング部７０は、中間転写ベルト１２５の外周面に残存しているトナーを電気的に吸着して回収する。
【００１８】
また、画像形成装置１の前面側には操作部４７が設けられている。操作部４７は、液晶ディスプレイ（ＬＣＤ：Liquid Crystal Display）や有機ＥＬ（ＯＬＥＤ：Organic Light-Emitting Diode）ディスプレイからなる表示部４７３を備え、当該表示部４７３に表示されるメニュー画面に対するユーザー操作を受け付ける。
【００１９】
続いて、上記の電源装置１０の内部構成について説明する。図２は、電源装置１０の内部構成を示すブロック図である。電源装置１０は、主電源２０および電源ユニット３０を有する。電源ユニット３０は、主電源２０とは別体で構成された基板上に、主電源２０から電力の供給を受けて駆動する複数の電源部３２〜３９が設けられている。当該複数の電源部３２〜３９は、各電源部が個別のデバイスに適した電力を供給可能に構成されている。また、当該複数の電源部３２〜３９は、後述する電源制御ＣＰＵ１００から出力された電源制御信号に基づき、オン状態とオフ状態が切り替わる（オンオフ制御）。
【００２０】
定着部用電源部３５は、定着部１３と接続されており、当該定着部１３に内蔵されたハロゲンヒーター等の定着用熱源に電力を供給する。
【００２１】
帯電部用電源部３６は、帯電部１２３と接続されており、当該帯電部１２３に内蔵された帯電ローラーやコロトロン等の帯電部材に電力を供給する。
【００２２】
クリーニング部用電源部３７は、クリーニング部７０と接続されており、当該クリーニング部７０に内蔵されたファーブラシ等に電力を供給する。
【００２３】
表示部用電源部３８は、表示部４７３と接続されており、当該表示部４７３に内蔵された液晶ディスプレイ等に電力を供給する。
【００２４】
記憶部用電源部３９は、記憶部１５と接続されており、当該記憶部１５に電力を供給する。
【００２５】
メインＣＰＵ用電源部３４は、メインＣＰＵ２００と接続されており、当該メインＣＰＵ２００に電力を供給する。メインＣＰＵ２００は、ＲＯＭ（Read Only Memory）または記憶部１５に記憶された制御プログラムを実行することにより、制御部２０１および報知制御部２０２として機能する。なお、制御部２０１および報知制御部２０２は、前述の制御プログラムに基づく動作によらず、それぞれハード回路により構成されてもよい。制御部２０１は、画像形成装置１の全体的な動作制御を司る。制御部２０１は、定着部１３、帯電部１２３、クリーニング部７０、表示部４７３、および記憶部１５等と接続されており、接続されている上記各機構の動作制御や、各機構との間での信号またはデータの送受信を行う。報知制御部２０２は、後述する電源制御ＣＰＵ用第１電源部３２が正常に動作しない場合に、表示部４７３に予め定められた警告画面を表示させる。
【００２６】
電源制御ＣＰＵ用第１電源部３２（通常用電源部）は、上記の複数の電源部３２〜３９のオンオフ制御を行う電源制御ＣＰＵ１００と接続されており、当該電源制御ＣＰＵ１００に電力を供給する。
【００２７】
また、電源制御ＣＰＵ用第２電源部３３（バックアップ用電源部）は、上記の電源制御ＣＰＵ用第１電源部３２と同様に、電源制御ＣＰＵ１００と接続されており、当該電源制御ＣＰＵ１００に電力を供給する。詳細は後述するが、電源制御ＣＰＵ用第１電源部３２が正常に動作する場合は、電源制御ＣＰＵ用第１電源部３２が電源制御ＣＰＵ１００の電力供給元となり、一方、電源制御ＣＰＵ用第１電源部３２が正常に動作しない場合は、電源制御ＣＰＵ用第２電源部３３が電源制御ＣＰＵ１００の電力供給元となる。
【００２８】
なお、上記の複数の電源部３２〜３９は、電源装置１０が備える複数の電源部の一例である。例えば、電源装置１０は、これらの電源部３２〜３９以外に、ＬＡＮチップ等の通信モジュールを備えた通信インターフェイスに電力を供給する通信モジュール用電源部や、原稿読取部５に電力を供給する原稿読取部用電源部等を備えていてもよい。
【００２９】
電源ユニット３０は、更に、上記の複数の電源部３２〜３９に加えて、バッテリー部３１を備えている。バッテリー部３１は、充電可能な蓄電池であって、上記の電源制御ＣＰＵ用第１電源部３２および電源制御ＣＰＵ用第２電源部３３と同様に、電源制御ＣＰＵ１００と接続されており、当該電源制御ＣＰＵ１００に電力を供給する。詳細は後述するが、画像形成装置１に設けられた主電源スイッチがオンされ主電源２０がオン状態になると、まずバッテリー部３１から電源制御ＣＰＵ１００に電力が供給される。その後、後述する切替回路４０により電力供給経路が切り替わることで、電源制御ＣＰＵ１００の電力供給元が、バッテリー部３１から電源制御ＣＰＵ用第１電源部３２または電源制御ＣＰＵ用第２電源部３３に切り替わる。
【００３０】
切替回路４０（切替部）は、電源ユニット３０と電源制御ＣＰＵ１００との間に介挿され、バッテリー部３１と電源制御ＣＰＵ１００とを結ぶ電力供給経路、電源制御ＣＰＵ用第１電源部３２と電源制御ＣＰＵ１００とを結ぶ電力供給経路、および電源制御ＣＰＵ用第２電源部３３と電源制御ＣＰＵ１００とを結ぶ電力供給経路を切替可能に構成されている。電源制御ＣＰＵ１００から出力される制御信号に基づき当該電力供給経路の切り替えが行われることで、電源制御ＣＰＵ１００の電力供給元が切り替わる。
【００３１】
電源制御ＣＰＵ１００（電源制御部）は、複数の電源部３２〜３９のオンオフ制御を行う専用のＣＰＵとして、メインＣＰＵ２００とは別途に設けられている。複数の電源部３２〜３９のオンオフ制御を行う専用のＣＰＵを設けることで、電力の供給が必要なデバイスのみに電力を供給することができ、画像形成装置１の消費電力を抑えることができる。例えば、非画像形成時においてはクリーニング部７０を動作させる必要がないため、電源制御ＣＰＵ１００は、電源制御信号を出力して、クリーニング部用電源部３７をオフ状態にさせる。
【００３２】
電源制御ＣＰＵ１００は、複数の電源部３２〜３９のオンオフ制御に加えて、電源制御ＣＰＵ用第１電源部３２が正常に動作するか否かを判定する。そして、電源制御ＣＰＵ１００は、当該判定結果に基づき、切替回路４０に電力供給回路を切り替えさせ、電源制御ＣＰＵ１００の電力供給元をバッテリー部３１から電源制御ＣＰＵ用第１電源部３２または電源制御ＣＰＵ用第２電源部３３に切替させる。
【００３３】
続いて、上記の構成を備える電源装置１０の動作について説明する。図３は、電源装置１０の動作の流れを示すフローチャートである。
【００３４】
画像形成装置１に設けられた主電源スイッチがオンされると（ステップＳ１０においてＹＥＳ）、バッテリー部３１から電源制御ＣＰＵ１００に電力が供給され（ステップＳ１１）、当該電力供給により電源制御ＣＰＵ１００が起動する（ステップＳ１２）。
【００３５】
電源制御ＣＰＵ１００は、複数の電源部３２〜３９に電源制御信号を出力する（ステップＳ１３）。
【００３６】
電源制御ＣＰＵ１００は、電源制御信号を出力することで電源制御ＣＰＵ用第１電源部３２をオンさせた後、電源制御ＣＰＵ用第１電源部３２の出力電圧を取得する（ステップＳ１４）。そして、電源制御ＣＰＵ１００は、当該取得した出力電圧に基づき、電源制御ＣＰＵ用第１電源部３２が正常に動作しているか否かを判定する（ステップＳ１５）。具体的には、電源制御ＣＰＵ１００は、電源制御ＣＰＵ用第１電源部３２から出力される出力電圧が予め定められた期間内に予め定められた電圧値まで立ち上がる場合に、電源制御ＣＰＵ用第１電源部３２が正常に動作するものと判定する。一方、電源制御ＣＰＵ１００は、電源制御ＣＰＵ用第１電源部３２から出力される出力電圧が予め定められた期間内に予め定められた電圧値まで立ち上がらない場合に、電源制御ＣＰＵ用第１電源部３２が正常に動作せず異常が発生したものと判定する。
【００３７】
電源制御ＣＰＵ用第１電源部３２が正常に動作する場合（ステップＳ１５においてＹＥＳ）、電源制御ＣＰＵ１００は、切替回路４０に制御信号を出力して、電力供給経路を切り替えさせ、電源制御ＣＰＵ１００の電力供給元をバッテリー部３１から電源制御ＣＰＵ用第１電源部３２に切替させる（ステップＳ１６）。これ以降は、電源制御ＣＰＵ１００は、バッテリー部３１ではなく電源制御ＣＰＵ用第１電源部３２から電力の供給を受けることになる。
【００３８】
一方、電源制御ＣＰＵ用第１電源部３２が正常に動作しない場合（ステップＳ１５においてＮＯ）、電源制御ＣＰＵ１００は、切替回路４０に制御信号を出力して、電力供給経路を切り替えさせ、電源制御ＣＰＵ１００の電力供給元をバッテリー部３１から電源制御ＣＰＵ用第２電源部３３に切替させる（ステップＳ１７）。これ以降は、電源制御ＣＰＵ１００は、バッテリー部３１ではなく電源制御ＣＰＵ用第２電源部３３から電力の供給を受けることになる。
【００３９】
ステップＳ１７の処理後、すなわち切替回路４０が電源制御ＣＰＵ１００に対する電力供給元をバッテリー部３１から電源制御ＣＰＵ用第２電源部３３に切り替えた後に、報知制御部２０２は、報知部としての表示部４７３に予め定められた警告画面を表示させる（ステップＳ１８）。図４は、表示部４７３に表示される警告画面Ｄ１の一例を示す図である。警告画面Ｄ１には、電源装置１０に異常が発生している旨、および、サービスマンに修理を依頼すべき旨が示されている。また、警告画面Ｄ１には、通知ボタンｄ１が設けられている。操作部４７を用いたユーザー操作による当該通知ボタンｄ１の選択を制御部２０１が受け付けた場合、制御部２０１は、不図示の通信部に、サービスマンへの修理依頼を示す情報を予め定められた通信先へ送信させる。これにより、ユーザーは、電源装置１０に異常が発生している場合に電源装置１０の修理依頼を簡易な操作で行うことができる。
【００４０】
なお、電源装置１０による報知動作は、上記の警告表示を行うことに限られない。例えば、報知制御部２０２は、上記の警告表示処理の代わりに、不図示の音源（報知部）から予め定められた警告音を発生させてもよい。
【００４１】
以上のように、本発明の一実施形態にかかる電源装置１０によれば、画像形成装置１に設けられた主電源スイッチがオンされると、電源制御ＣＰＵ１００には、まずバッテリー部３１から電力が供給される。このため、電源制御ＣＰＵ用第１電源部３２に異常が発生した場合であっても、電源制御ＣＰＵ１００が起動せず、各デバイスに電力が供給されないという事態が発生しない。
【００４２】
また、電源制御ＣＰＵ１００がバッテリー部３１により駆動されている間に、電源制御ＣＰＵ１００が、電源制御ＣＰＵ用第１電源部３２が正常に動作しているか否かを判定するため、電源制御ＣＰＵ用第１電源部３２に異常が発生した場合であっても、その異常を電源制御ＣＰＵ１００が検知することができる。
【００４３】
また、電源制御ＣＰＵ用第１電源部３２が正常に動作しているか否かを電源制御ＣＰＵ１００が判定した後は、電源制御ＣＰＵ１００が、電源制御ＣＰＵ１００の電力供給元をバッテリー部３１から電源制御ＣＰＵ用第１電源部３２または電源制御ＣＰＵ用第２電源部３３に切替させるため、バッテリー部３１に容量が小さいバッテリーを用いることができる。
【００４４】
また、電源制御ＣＰＵ用第１電源部３２に加えて、電源制御ＣＰＵ用第２電源部３３を設け、電源制御ＣＰＵ用第１電源部３２が正常に動作しないと電源制御ＣＰＵ１００が判定した場合に、電源制御ＣＰＵ用第１電源部３２ではなく電源制御ＣＰＵ用第２電源部３３で電源制御ＣＰＵ１００を駆動するため、電源制御ＣＰＵ用第１電源部３２に異常が発生した場合であっても、画像形成装置１を駆動し続けることができる。
【００４５】
なお、本発明は、上記の実施の形態の構成に限られず種々の変形が可能である。
【００４６】
図５は、変形例にかかる電源装置１０の動作の流れを示すフローチャートである。なお、図３に示す処理と同内容の処理については同符号を付し説明を略する。
【００４７】
変形例にかかる電源装置１０では、ステップＳ１８の警告報知処理後に、電源制御ＣＰＵ１００または制御部２０１が、電源制御ＣＰＵ用第１電源部３２が正常に動作しないことを示す電源異常フラグを記憶部１５に記憶させる（ステップＳ２０）。なお、当該電源異常フラグは、サービスマン等により電源制御ＣＰＵ用第１電源部３２の修理が行われ、電源制御ＣＰＵ用第１電源部３２の異常が解消された場合に、電源制御ＣＰＵ１００または制御部２０１による制御のもと記憶部１５から削除される。
【００４８】
また、変形例にかかる電源装置１０では、電源制御ＣＰＵ１００が起動して（ステップＳ１２）、電源制御ＣＰＵ１００が複数の電源部３２〜３９に電源制御信号を出力した（ステップＳ１３）後に、電源制御ＣＰＵ１００が記憶部１５に電源異常フラグが記憶されているか否かを判定する（ステップＳ２１）。
【００４９】
記憶部１５に電源異常フラグが記憶されていない場合（ステップＳ２１においてＮＯ）、電源制御ＣＰＵ１００は、上記の実施の形態における処理と同様に、電源制御ＣＰＵ用第１電源部３２の出力電圧を取得して、電源制御ＣＰＵ用第１電源部３２が正常に動作しているか否かを判定する（ステップＳ１４、ステップＳ１５）。
【００５０】
一方、記憶部１５に電源異常フラグが記憶されている場合（ステップＳ２１においてＹＥＳ）、電源制御ＣＰＵ１００は、電源制御ＣＰＵ用第１電源部３２の出力電圧を取得せず、電源制御ＣＰＵ用第１電源部３２が正常に動作しているか否かの判定を行わない。そして、電源制御ＣＰＵ１００は、ステップＳ１７の処理と同様に、切替回路４０に制御信号を出力して、電力供給経路を切り替えさせ、電源制御ＣＰＵ１００の電力供給元をバッテリー部３１から電源制御ＣＰＵ用第２電源部３３に切替させる（ステップＳ２２）。その後、報知制御部２０２は、ステップＳ１８の処理と同様に、報知部としての表示部４７３に予め定められた警告画面を表示させる（ステップＳ２３）
【００５１】
このように、変形例にかかる電源装置１０では、電源制御ＣＰＵ用第１電源部３２に異常が発生した場合に、それ以降、画像形成装置１の主電源スイッチがオンされるたびに、電源制御ＣＰＵ用第１電源部３２の出力電圧を取得して、電源制御ＣＰＵ用第１電源部３２が正常に動作しているか否かの判定を行う処理が実行される事態を回避することができる。
【００５２】
また、上記の実施形態では、本発明の一実施形態にかかる電源装置を画像形成装置に適用する場合を説明しているが、これは一例に過ぎず、本発明は必ずしもこの場合に限定されない。本発明にかかる電源装置を、画像形成装置以外の各種産業機械に本発明を適用してもよい。
【００５３】
また、図１乃至図５を用いて上記の実施形態により示した構成及び処理は、本発明の一実施形態に過ぎず、本発明を当該構成及び処理に限定する趣旨ではない。
【符号の説明】
【００５４】
１      画像形成装置
１０    電源装置
２０    主電源
３０    電源ユニット
３１    バッテリー部
３２    電源制御ＣＰＵ用第１電源部（通常用電源部）
３３    電源制御ＣＰＵ用第２電源部（バックアップ用電源部）
３４    メインＣＰＵ用電源部
３５    定着部用電源部
３６    帯電部用電源部
３７    クリーニング部用電源部
３８    表示部用電源部
３９    記憶部用電源部
４０    切替回路（切替部）
１００  電源制御ＣＰＵ（電源制御部）
２００  メインＣＰＵ
２０１  制御部
２０２  報知制御部
【図１】
0006365234.tif 000002
【図２】
0006365234.tif 000003
【図３】
0006365234.tif 000004
【図４】
0006365234.tif 000005
【図５】
0006365234.tif 000006